(57)【特許請求の範囲】
【請求項１】
映画システムの上映用フィルムをスクリーンに上映した際の映写用画像の見えを上映前に確認するために前記映写用画像を試し表示するに際し、
前記上映用フィルムの前記映写用画像を前記スクリーンに映写する映写機のシェーディングパターンを測定し、
入力画像から画像編集を行って前記映写用画像の画像データを作成し、
作成された前記映写用画像の画像データに基づいて作製された前記上映用フィルムを前記スクリーンに上映した際の前記映写用画像の色に一致する、又は、近づく、若しくは、類似する試し表示用画像を得るためのルックアップテーブルを用いて、前記映写用画像の画像データから前記映写用画像を試し表示するための色補正試し表示用画像の画像データを生成すると共に、該色補正試し表示用画像の画像データに対し、前記映写機のシェーディングパターンを付与してシェーディング付与試し表示用画像の画像データを生成し、
前記映写機を用いて前記スクリーン上に上映される前記映写用画像の見えを確認するために、前記シェーディング付与試し表示用画像の画像データに基づいて前記映写用画像を前記試し表示用画像として試し表示することを特徴とする映写用画像の試し表示方法。
【請求項２】
前記シェーディングパターンの測定工程は、前記映写機の映写光を前記スクリーンに照射し、該スクリーン上の中心部及び周辺部を含む複数の測定点における光量を測定して光量分布を取得する工程を含む請求項１に記載の映写用画像の試し表示方法。
【請求項３】
前記シェーディングパターンの測定工程は、中心部及び周辺部を含む複数の測定点からなる測定位置パターン画像を持つ測定チャートを前記映写機で前記スクリーンに映写し、該スクリーン上に映写された前記複数の測定点における輝度を望遠分光輝度計で測定する工程を含む請求項１に記載の映写用画像の試し表示方法。
【請求項４】
前記シェーディングパターンの測定工程は、さらに、前記複数の測定点の位置と該複数の測定点における測定光量との関係を近似するシェーディングパターン関数を取得する工程を含み、
前記シェーディング付与試し表示用画像の画像データの生成工程は、前記シェーディングパターン関数を用いて前記色補正試し表示用画像の画像データを修正する工程を含む請求項２又は３に記載の映写用画像の試し表示方法。
【請求項５】
さらに、前記映写用画像として中心部及び周辺部を含む複数の測定点からなる測定位置パターン画像を生成し、
前記測定位置パターン画像の画像データから前記ルックアップテーブルを用いて前記測定位置パターン画像の前記試し表示用画像の画像データを生成し、
前記測定位置パターン画像の画像データから前記測定位置パターン画像が前記映写用画像として映画用フィルムに焼き付けられた上映用測定チャートフィルムを作製し、
前記試し表示用画像の画像データを用いて前記測定位置パターン画像を試し表示して、試し表示された前記測定位置パターン画像の前記試し表示用画像の前記複数の測定点の輝度を望遠分光輝度計で測定すると共に、
前記上映用測定チャートフィルムを映写機でスクリーンに上映して、前記スクリーン上の前記測定位置パターン画像の前記複数の測定点の輝度を望遠分光輝度計で測定し、
前記試し表示画像の各測定点の測定輝度と、前記上映用測定チャートフィルムの前記測定位置パターン画像の、それぞれ対応する各測定点の測定輝度との一致度を評価し、
この評価に基づいて前記ルックアップテーブルを修正し、
修正された前記ルックアップテーブルを用いて、前記映写用画像の画像データから、前記映写用画像を試し表示するための試し表示用画像の画像データを生成する請求項１〜４のいずれか一項に記載の映写用画像の試し表示方法。
【請求項６】
前記測定位置パターン画像の前記試し表示用画像の試し表示は、前記上映用測定チャートフィルムによる前記測定位置パターン画像の上映と同一のスクリーン上に、前記測定位置パターン画像の画像データを用いてデジタル映写装置によって直接映写することにより行われる請求項５に記載の映写用画像の試し表示方法。
【請求項７】
前記試し表示用画像の試し表示と前記上映用測定チャートフィルムによる前記測定位置パターン画像の上映とは、同時に平行して同一のスクリーン上に行われる請求項６に記載の映写用画像の試し表示方法。
【請求項８】
前記試し表示用画像の試し表示は、前記測定位置パターン画像の画像データを用いてモニタ上に表示することにより行われ、前記上映用測定チャートフィルムによる前記測定位置パターン画像の上映と同時に平行して行われる請求項５に記載の映写用画像の試し表示方法。
【請求項９】
前記上映用測定チャートフィルムの作製行程は、
前記測定位置パターン画像の画像データから色補正用ルックアップテーブルを用いて前記映画用フィルムに露光するための前記映写用画像の露光データを生成し、
前記映写用画像の露光データを用いて前記映写用画像を光学的画像露光装置で前記映画用フィルムに露光・現像してインターミディエイトフィルムを作製する工程と、
前記インターミディエイトフィルムを前記映画用フィルムに露光・現像して、前記測定位置パターン画像が前記映写用画像として焼き付けられた前記上映用測定チャートフィルムを作製する工程とを含む請求項５〜８のいずれか一項に記載の映写用画像の試し表示方法。
【請求項１０】
前記映写用画像の試し表示行程は、前記試し表示用画像の画像データを用いてデジタル映写装置によって前記スクリーン上に直接前記試し表示用画像を映写する工程を含む請求項１〜９のいずれか一項に記載の映写用画像の試し表示方法。
【請求項１１】
前記映写用画像の試し表示行程は、前記試し表示用画像の画像データを用いてモニタ上に前記試し表示用画像を表示する工程を含む請求項１〜９のいずれか一項に記載の映写用画像の試し表示方法。
【請求項１２】
映画システムの上映用フィルムを映写機でスクリーン上に映写する前に試し表示された映写用画像の試し表示用画像で確認された前記映写用画像の見えと一致する、若しくは、類似する映写用画像を持つ前記上映用フィルムを作製するに際し、
前記上映用フィルムの前記映写用画像を前記スクリーンに映写する前記映写機のシェーディングパターンを測定し、
入力画像から画像編集を行って前記映写用画像の画像データを作成し、
作成された前記映写用画像の画像データに基づいて作成された試し表示用画像の画像データを用いて試し表示された前記映写用画像の色に一致する、又は、近づく、若しくは、類似する色をもつ、前記上映用フィルムを前記スクリーンに上映した際の前記映写用画像を得るための色補正用ルックアップテーブルを用いて、前記映写用画像の画像データから前記上映用フィルムを作成するための映写用画像の露光データを生成すると共に、該映写用画像の露光データに対し、前記映写機のシェーディングパターンを付与してシェーディング付与映写用画像の露光データを生成し、
前記シェーディング付与映写用画像の露光データを用いて前記映写用画像を光学的画像露光装置で映画用フィルムに露光・現像してインターミディエイトフィルムを作製し、
前記インターミディエイトフィルムを前記映画用フィルムに露光・現像し、前記映写機で前記スクリーンに上映する際に、前記映写機のシェーディングが補正され、前記試し表示用画像と同じ見えである前記映写用画像が焼き付けられた上映用フィルムを作製することを特徴とする上映用フィルムの作製方法。
【請求項１３】
請求項１２に記載の上映用フィルムの作製方法によって作製された前記上映用フィルムを前記映写機で前記スクリーンに上映し、前記スクリーン上に前記試し表示用画像と同じ見えとなる前記映写用画像を映写することを特徴とする映写用画像の映写方法。
【請求項１４】
映画用デジタル映写機にて映写用画像をスクリーンに上映した際の前記映写用画像の見えを上映前に確認するために前記映写用画像を試し表示するに際し、
入力画像の画像データに対応する映写用画像を前記スクリーンに上映する前記映画用デジタル映写機のシェーディングパターンを測定し、
前記入力画像の画像データに対応する映写用画像を前記スクリーンに上映した際の前記映写用画像の色に一致する、又は、近づく、若しくは、類似する試し表示用画像を得るためのルックアップテーブルを用いて、前記入力画像の画像データから前記映写用画像を試し表示するための色補正試し表示用画像の画像データを生成すると共に、該色補正試し表示用画像の画像データに対し、前記映画用デジタル映写機のシェーディングパターンを付与してシェーディング付与試し表示用画像の画像データを生成し、
前記映画用デジタル映写機を用いて前記スクリーン上に上映される前記映写用画像の見えを確認するために、前記シェーディング付与試し表示用画像の画像データに基づいて前記映写用画像を前記試し表示用画像として試し表示することを特徴とする映写用画像の試し表示方法。
【請求項１５】
前記シェーディングパターンの測定工程は、前記映画用デジタル映写機の映写光を前記スクリーンに照射し、該スクリーン上の中心部及び周辺部を含む複数の測定点における光量を測定して光量分布を取得する工程を含む請求項１４に記載の映写用画像の試し表示方法。
【請求項１６】
前記シェーディングパターンの測定工程は、中心部及び周辺部を含む複数の測定点からなる測定位置パターン画像を持つ測定チャートを前記映画用デジタル映写機で前記スクリーンに映写し、該スクリーン上に映写された前記複数の測定点における輝度を望遠分光輝度計で測定する工程を含む請求項１４に記載の映写用画像の試し表示方法。
【請求項１７】
前記シェーディングパターンの測定工程は、さらに、前記複数の測定点の位置と該複数の測定点における測定光量との関係を近似するシェーディングパターン関数を取得する工程を含み、
前記シェーディング付与試し表示用画像の画像データの生成工程は、前記シェーディングパターン関数を用いて前記色補正試し表示用画像の画像データを修正する工程を含む請求項１５又は１６に記載の映写用画像の試し表示方法。
【請求項１８】
前記映写用画像の試し表示行程は、前記試し表示用画像の画像データを用いてデジタル映写装置によって前記スクリーン上に直接前記試し表示用画像を映写する工程を含む請求項１４〜１７のいずれか一項に記載の映写用画像の試し表示方法。
【請求項１９】
前記映写用画像の試し表示行程は、前記試し表示用画像の画像データを用いてモニタ上に前記試し表示用画像を表示する工程を含む請求項１４〜１７のいずれか一項に記載の映写用画像の試し表示方法。
【請求項２０】
映画システムの上映用フィルムをスクリーンに上映した際の映写用画像の見えを上映前に確認するために前記映写用画像を試し表示する装置であって、
前記上映用フィルムの前記映写用画像を前記スクリーンに映写する映写機のシェーディングパターンを測定する測定手段と、
入力画像から画像編集を行って前記映写用画像の画像データを作成する作成手段と、
作成された前記映写用画像の画像データに基づいて作製された前記上映用フィルムを前記スクリーンに上映した際の前記映写用画像の色に一致する、又は、近づく、若しくは、類似する試し表示用画像を得るためのルックアップテーブルを用いて、前記映写用画像の画像データから前記映写用画像を試し表示するための色補正試し表示用画像の画像データを生成すると共に、該色補正試し表示用画像の画像データに対し、前記映写機のシェーディングパターンを付与してシェーディング付与試し表示用画像の画像データを生成する生成手段と、
前記映写機を用いて前記スクリーン上に上映される前記映写用画像の見えを確認するために、前記シェーディング付与試し表示用画像の画像データに基づいて前記映写用画像を前記試し表示用画像として試し表示する表示手段とを備えることを特徴とする映写用画像の試し表示装置。
【請求項２１】
映画システムの上映用フィルムを映写機でスクリーン上に映写する前に試し表示された映写用画像の試し表示用画像で確認された前記映写用画像の見えと一致する、若しくは、類似する映写用画像を持つ前記上映用フィルムを作製する装置であって、
前記上映用フィルムの前記映写用画像を前記スクリーンに映写する前記映写機のシェーディングパターンを測定する測定手段と、
入力画像から画像編集を行って前記映写用画像の画像データを作成する作成手段と、
作成された前記映写用画像の画像データに基づいて作成された試し表示用画像の画像データを用いて試し表示された前記映写用画像の色に一致する、又は、近づく、若しくは、類似する色をもつ、前記上映用フィルムを前記スクリーンに上映した際の前記映写用画像を得るための色補正用ルックアップテーブルを用いて、前記映写用画像の画像データから前記上映用フィルムを作成するための映写用画像の露光データを生成すると共に、該映写用画像の露光データに対し、前記映写機のシェーディングパターンを付与してシェーディング付与映写用画像の露光データを生成する生成手段と、
前記シェーディング付与映写用画像の露光データを用いて前記映写用画像を光学的画像露光装置で映画用フィルムに露光・現像してインターミディエイトフィルムを作製する第１フィルム作製手段と、
前記インターミディエイトフィルムを前記映画用フィルムに露光・現像し、前記映写機で前記スクリーンに上映する際に、前記映写機のシェーディングが補正され、前記試し表示用画像と同じ見えである前記映写用画像が焼き付けられた上映用フィルムを作製する第２フィルム作製手段とを備えることを特徴とする上映用フィルムの作製装置。
【請求項２２】
映画用デジタル映写機にて映写用画像をスクリーンに上映した際の前記映写用画像の見えを上映前に確認するために前記映写用画像を試し表示する装置であって、
入力画像の画像データに対応する映写用画像を前記スクリーンに上映する前記映画用デジタル映写機のシェーディングパターンを測定する測定手段と、
前記入力画像の画像データに対応する映写用画像を前記スクリーンに上映した際の前記映写用画像の色に一致する、又は、近づく、若しくは、類似する試し表示用画像を得るためのルックアップテーブルを用いて、前記入力画像の画像データから前記映写用画像を試し表示するための色補正試し表示用画像の画像データを生成すると共に、該色補正試し表示用画像の画像データに対し、前記映画用デジタル映写機のシェーディングパターンを付与してシェーディング付与試し表示用画像の画像データを生成する生成手段と、
前記映画用デジタル映写機を用いて前記スクリーン上に上映される前記映写用画像の見えを確認するために、前記シェーディング付与試し表示用画像の画像データに基づいて前記映写用画像を前記試し表示用画像として試し表示する表示手段とを備えることを特徴とする映写用画像の試し表示装置。
【請求項２３】
映画システムの上映用フィルムをスクリーンに上映した際の映写用画像の見えを上映前に確認するために前記映写用画像を試し表示するための各ステップをコンピュータに実行させるためのプログラムであって、
測定手段により測定された、前記上映用フィルムの前記映写用画像を前記スクリーンに映写する映写機のシェーディングパターンを取得するステップと、
入力画像から画像編集を行って前記映写用画像の画像データを作成するステップと、
作成された前記映写用画像の画像データに基づいて作製された前記上映用フィルムを前記スクリーンに上映した際の前記映写用画像の色に一致する、又は、近づく、若しくは、類似する試し表示用画像を得るためのルックアップテーブルを用いて、前記映写用画像の画像データから前記映写用画像を試し表示するための色補正試し表示用画像の画像データを生成すると共に、該色補正試し表示用画像の画像データに対し、前記映写機のシェーディングパターンを付与してシェーディング付与試し表示用画像の画像データを生成するステップと、
前記映写機を用いて前記スクリーン上に上映される前記映写用画像の見えを確認するために、前記シェーディング付与試し表示用画像の画像データに基づいて前記映写用画像を前記試し表示用画像として表示手段に試し表示させるステップとを含むプログラム。
【請求項２４】
映画システムの上映用フィルムを映写機でスクリーン上に映写する前に試し表示された映写用画像の試し表示用画像で確認された前記映写用画像の見えと一致する、若しくは、類似する映写用画像を持つ前記上映用フィルムを作製するための各ステップをコンピュータに実行させるためのプログラムであって、
測定手段により測定された、前記上映用フィルムの前記映写用画像を前記スクリーンに映写する前記映写機のシェーディングパターンを取得するステップと、
入力画像から画像編集を行って前記映写用画像の画像データを作成するステップと、
作成された前記映写用画像の画像データに基づいて作成された試し表示用画像の画像データを用いて試し表示された前記映写用画像の色に一致する、又は、近づく、若しくは、類似する色をもつ、前記上映用フィルムを前記スクリーンに上映した際の前記映写用画像を得るための色補正用ルックアップテーブルを用いて、前記映写用画像の画像データから前記上映用フィルムを作成するための映写用画像の露光データを生成すると共に、該映写用画像の露光データに対し、前記映写機のシェーディングパターンを付与してシェーディング付与映写用画像の露光データを生成するステップと、
前記シェーディング付与映写用画像の露光データを用いて前記映写用画像を光学的画像露光装置で映画用フィルムに露光・現像してインターミディエイトフィルムを第１フィルム作製手段に作製させるステップと、
前記インターミディエイトフィルムを前記映画用フィルムに露光・現像し、前記映写機で前記スクリーンに上映する際に、前記映写機のシェーディングが補正され、前記試し表示用画像と同じ見えである前記映写用画像が焼き付けられた上映用フィルムを第２フィルム作製手段に作製させるステップとを含むプログラム。
【請求項２５】
映画用デジタル映写機にて映写用画像をスクリーンに上映した際の前記映写用画像の見えを上映前に確認するために前記映写用画像を試し表示するための各ステップをコンピュータに実行させるためのプログラムであって、
測定手段により測定された、入力画像の画像データに対応する映写用画像を前記スクリーンに上映する前記映画用デジタル映写機のシェーディングパターンを取得するステップと、
前記入力画像の画像データに対応する映写用画像を前記スクリーンに上映した際の前記映写用画像の色に一致する、又は、近づく、若しくは、類似する試し表示用画像を得るためのルックアップテーブルを用いて、前記入力画像の画像データから前記映写用画像を試し表示するための色補正試し表示用画像の画像データを生成すると共に、該色補正試し表示用画像の画像データに対し、前記映画用デジタル映写機のシェーディングパターンを付与してシェーディング付与試し表示用画像の画像データを生成するステップと、
前記映画用デジタル映写機を用いて前記スクリーン上に上映される前記映写用画像の見えを確認するために、前記シェーディング付与試し表示用画像の画像データに基づいて前記映写用画像を前記試し表示用画像として表示手段に試し表示させるステップとを含むプログラム。
【請求項２６】
スクリーンと、
上映用フィルムの映写用画像を前記スクリーンに映写する映写機と、
請求項２０に記載の映写用画像の試し表示装置とを備える映画システム。
【請求項２７】
スクリーンと、
上映用フィルムの映写用画像を前記スクリーンに映写する映写機と、
請求項２１に記載の上映用フィルムの作製装置とを備える映画システム。
【請求項２８】
スクリーンと、
上映用フィルムの映写用画像を前記スクリーンに映写する映画用デジタル映写機と、
請求項２２に記載の映写用画像の試し表示装置とを備える映画システム。
【発明の詳細な説明】
【技術分野】
【０００１】
本発明は、映写用画像の試し表示方法並びに装置、上映用フィルム、その作製方法並びに装置、映写用画像の映写方法、プログラム、及び、映画システムに関し、詳しくは映画システムの映写機のシェーディングを付与された試し表示用映写用画像のデジタル映写方法、モニタ表示方法等の映写用画像の試し表示方法並びに装置、映画システムの映写機のシェーディングが補正された映写用画像が焼き付けられた上映用フィルム（上映用配給フィルム）、その作製方法及び装置、この上映フィルムの映写用画像の映写方法並びに装置、プログラム、及び、映画システムに関する。
【背景技術】
【０００２】
従来、映画システムによる上映用フィルム（上映用配給フィルム）、すなわち映写用ポジプリントの制作工程においては、撮影・現像済みの映画撮影用ネガフィルムをテレシネ装置等の画像入力装置で読み取ってデジタル処理したデジタル画像データ、映画用デジタル撮像カメラで撮影したデジタル画像データ、コンピュータ等により作製されたコンピュータグラフィックス（ＣＧ）等のデジタル画像データを取得し、取得されたデジタル画像データに対してデジタル画像編集を行い、編集後の画像データ、すなわち上映用フィルムに焼き付けるべき映写用画像の画像データを取得している（特許文献１〜３参照）。
【０００３】
この後、上映用フィルムを作成する前に、編集後の映写用画像の画像データを用いて、デジタル映写装置によってスクリーンに直接デジタル映写して試し表示（以下、プレビューともいう）し、又はテレビジョンやモニタ等に直接試し表示して、上映フィルムを映写機で上映する際の映写用画像の色を確認している。
映写用画像の色の確認後、色が適切であれば、編集後の映写用画像の画像データを用いて露光装置で映画用フィルムに露光・現像して映画用ネガフィルム、すなわちインターミディエイトネガフィルム（インターネガ）を作製し、インターネガを面露光装置で直接映画用ポジフィルムに露光・現像して多数の上映用フィルム（映写用ポジプリント）を作成している。
【０００４】
このような画像のデジタル処理や、画像データの編集、露光や、編集画像のプレビュー等を行う場合には、画像データの色を適正に管理するために、画像データに対して、３次元ルックアップテーブル（ＬＵＴ）を用いて、色補正が行われている（特許文献１及び２参照）。
色補正に用いられる３次元ＬＵＴは、複数の異なる色のカラーパッチからなる露光パターンを露光して、この結果に基づき作成される。また、出力装置、映画用ネガフィルムや映画用ポジフィルム等の使用フィルム、現像処理、測定装置及び測定誤差などに起因する３次元ＬＵＴの濃度再現精度の低下があるため、中性グレイ濃度で均一濃度に発色したパッチを露光したパターンを用いて色補正用３次元ＬＵＴを補正している。
【０００５】
このような色補正用３次元ＬＵＴとしては、例えば、画像のデジタル処理や、画像データの編集、露光等を行う場合には、使用フィルム、出力装置、現像処理等に応じて、上映用フィルムの映写用画像を映写スクリーン上に映写する際の映写用画像の色再現が映画撮影時に意図された映写用画像の色となるように作成された色補正用３次元ＬＵＴがある。
また、編集画像のプレビュー等を行う場合にも、デジタル映写やモニタ表示されたプレビュー用画像の色再現が、上映用フィルムの映写用画像を映写スクリーン上に映写する際の映写用画像の色と同じになるように作成された色補正用３次元ＬＵＴとしてプレビューＬＵＴがある。
【先行技術文献】
【特許文献】
【０００６】
【特許文献１】特開２０１０−７４７５９号公報
【特許文献２】特開２０１０−５５０２９号公報
【特許文献３】特開平７−１５６５８号公報
【発明の概要】
【発明が解決しようとする課題】
【０００７】
ところで、特許文献１及び２に開示された色補正用３次元ＬＵＴは、上映用フィルムの映写用画像を映写スクリーン上に映写する際の映写用画像の色再現を映画撮影時に意図された映写用画像の色にすることはできる。また、これらの色補正用３次元ＬＵＴから求めたプレビューＬＵＴを用いることにより、映写用画像がデジタル映写やモニタ表示されたプレビュー用画像の色再現を上映用フィルムの映写用画像を映写スクリーン上に映写する際の映写用画像の色とある程度同じにすることもできる。
しかしながら、上映用フィルムの映写用画像を映写機でスクリーン上に映写する場合、映写機の映写光には映写されたスクリーンの中央部に比べて周辺部の光量が低下するシェーディングが存在するため、映写機でスクリーン上に映写された映写用画像の見えと、映写用画像がスクリーン上にデジタル映写されたプレビュー用画像の見えや、モニタ上に表示されたプレビュー用画像の見えと異なってしまうという問題があった。
【０００８】
なお、特許文献３には、映画フィルムをデジタル画像データに変換する際のテレシネ装置の光源のシェーディングを補正する技術が開示されているが、光源のシェーディングを補正する方法では、スクリーン上に上映された映写用画像の見えと、プレビュー用画像の見えとの差を補正することはできないという問題があった。
もちろん、映写機の光源のシェーディング自体を映写機側で光学的に補正したり、又はシェーディングのない光源を使用すれば、スクリーン上に映写された映写用画像と、デジタル映写やモニタ表示の試し表示用画像との見えの差をなくすことはできるが、高価な光源を使う必要があり、また、装置構成が複雑になり、その結果、高価な装置となってしまうという問題があった。
【０００９】
本発明の目的は、上記従来技術の問題点を解消し、映画システムにおいて、映写機の装置構成を変えることなく、映写機で上映フィルムをスクリーン上に映写した際の映写用画像の見えと、映写用画像の試し表示（プレビュー）用画像の見えとを一致させる、又は略一致させる、若しくは類似したものとすることができる映写用画像の試し表示方法並びに装置、上映用フィルム、その作製方法並びに装置、映写用画像の映写方法、プログラム、及び、映画システムを提供することにある。
【課題を解決するための手段】
【００１０】
上記課題を解決するために、本発明の第１の態様は、映画システムの上映用フィルムをスクリーンに上映した際の映写用画像の見えを上映前に確認するために前記映写用画像を試し表示するに際し、前記上映用フィルムの前記映写用画像を前記スクリーンに映写する映写機のシェーディングパターンを測定し、入力画像から画像編集を行って前記映写用画像の画像データを作成し、作成された前記映写用画像の画像データに基づいて作製された前記上映用フィルムを前記スクリーンに上映した際の前記映写用画像の色に一致する、又は、近づく、若しくは、類似する試し表示用画像を得るための試し表示用ルックアップテーブルを用いて、前記映写用画像の画像データから前記映写用画像を試し表示するための色補正試し表示用画像の画像データを生成すると共に、該色補正試し表示用画像の画像データに対し、前記映写機のシェーディングパターンを付与してシェーディング付与試し表示用画像の画像データを生成し、前記映写機を用いて前記スクリーン上に上映される前記映写用画像の見えを確認するために、前記シェーディング付与試し表示用画像の画像データに基づいて前記映写用画像を前記試し表示用画像として試し表示することを特徴とする映写用画像の試し表示方法を提供する。
【００１１】
ここで、前記シェーディングパターンの測定工程は、前記映写機の映写光を前記スクリーンに照射し、該スクリーン上の中心部及び周辺部を含む複数の測定点における光量を測定して光量分布を取得する工程を含むことが好ましく、または、中心部及び周辺部を含む複数の測定点からなる測定位置パターン画像を持つ測定チャートを前記映写機で前記スクリーンに映写し、該スクリーン上に映写された前記複数の測定点における輝度を望遠分光輝度計で測定する工程を含むことが好ましい。
また、前記シェーディングパターンの測定工程は、さらに前記複数の測定点の位置と該複数の測定点における測定光量との関係を近似するシェーディングパターン関数を取得する工程を含み、前記シェーディング付与試し表示用画像の画像データの生成工程は、前記シェーディングパターン関数を用いて前記色補正試し表示用画像の画像データを修正する工程を含むことが好ましい。
【００１２】
さらに、前記映写用画像として中心部及び周辺部を含む複数の測定点からなる測定位置パターン画像を生成しておき、前記測定位置パターン画像の画像データから前記試し表示用ルックアップテーブルを用いて前記測定位置パターン画像の前記試し表示用画像の画像データを生成し、前記測定位置パターン画像の画像データから前記測定位置パターン画像が前記映写用画像として映画用フィルムに焼き付けられた上映用測定チャートフィルムを作製し、前記試し表示用画像の画像データを用いて前記測定位置パターン画像を試し表示して、試し表示された前記測定位置パターン画像の前記試し表示用画像の前記複数の測定点の輝度を望遠分光輝度計で測定すると共に、前記上映用測定チャートフィルムを映写機でスクリーンに上映して、前記スクリーン上の前記測定位置パターン画像の前記複数の測定点の輝度を望遠分光輝度計で測定し、前記試し表示画像の各測定点の測定輝度と、前記上映用測定チャートフィルムの前記測定位置パターン画像の、それぞれ対応する各測定点の測定輝度との一致度を評価し、この評価に基づいて前記試し表示用ルックアップテーブルを修正し、修正された前記試し表示用ルックアップテーブルを用いて、前記映写用画像の画像データから、前記映写用画像を試し表示するための試し表示用画像の画像データを生成することが好ましい。
【００１３】
また、前記測定位置パターン画像の前記試し表示用画像の試し表示は、前記上映用測定チャートフィルムによる前記測定位置パターン画像の上映と同一のスクリーン上に、前記測定位置パターン画像の画像データを用いてデジタル映写装置によって直接映写することにより行われることが好ましく、また、前記試し表示用画像の試し表示と前記上映用測定チャートフィルムによる前記測定位置パターン画像の上映とは、同時に平行して同一のスクリーン上に行われることが好ましい。
または、前記試し表示用画像の試し表示は、前記測定位置パターン画像の画像データを用いてモニタ上に表示することにより行われ、前記上映用測定チャートフィルムによる前記測定位置パターン画像の上映と、同時に平行して行われることが好ましい。
【００１４】
また、前記上映用測定チャートフィルムの作製行程は、前記測定位置パターン画像の画像データから色補正用ルックアップテーブルを用いて前記映画用フィルムに露光するための前記映写用画像の露光データを生成し、前記映写用画像の露光データを用いて前記映写用画像を光学的画像露光装置で前記映画用フィルムに露光・現像してインターミディエイトフィルムを作製する工程と、前記インターミディエイトフィルムを前記映画用フィルムに露光・現像して、前記測定位置パターン画像が前記映写用画像として焼き付けられた前記上映用測定チャートフィルムを作製する工程とを含むことが好ましい。
また、前記映写用画像の試し表示行程は、前記試し表示用画像の画像データを用いてデジタル映写装置によって前記スクリーン上に直接前記試し表示用画像を映写する工程、又は、前記試し表示用画像の画像データを用いてモニタ上に前記試し表示用画像を表示する工程を含むことが好ましい。
【００１５】
また、上記課題を解決するために、本発明の第２の態様は、映画システムの上映用フィルムを映写機でスクリーン上に映写する前に試し表示された映写用画像の試し表示用画像で確認された前記映写用画像の見えと一致する、若しくは、類似する映写用画像を持つ前記上映用フィルムを作製するに際し、前記上映用フィルムの前記映写用画像を前記スクリーンに映写する前記映写機のシェーディングパターンを測定し、入力画像から画像編集を行って前記映写用画像の画像データを作成し、作成された前記映写用画像の画像データに基づいて作成された試し表示用画像の画像データを用いて試し表示された前記映写用画像の色に一致する、又は、近づく、若しくは、類似する色をもつ、前記上映用フィルムを前記スクリーンに上映した際の前記映写用画像を得るための色補正用ルックアップテーブルを用いて、前記映写用画像の画像データから前記上映用フィルムを作成するための映写用画像の露光データを生成すると共に、該映写用画像の露光データに対し、前記映写機のシェーディングパターンを付与してシェーディング付与映写用画像の露光データを生成し、前記シェーディング付与映写用画像の露光データを用いて前記映写用画像を光学的画像露光装置で映画用フィルムに露光・現像してインターミディエイトフィルムを作製し、前記インターミディエイトフィルムを前記映画用フィルムに露光・現像し、前記映写機で前記スクリーンに上映する際に、前記映写機のシェーディングが補正され、前記試し表示用画像と同じ見えである前記映写用画像が焼き付けられた上映用フィルムを作製することを特徴とする上映用フィルムの作製方法を提供する。
【００１６】
また、上記課題を解決するために、本発明の第３の態様は、上記第２の態様の上映用フィルムの作製方法によって作製された前記上映用フィルムを前記映写機で前記スクリーンに上映し、前記スクリーン上に前記試し表示用画像と同じ見えとなる前記映写用画像を映写することを特徴とする映写用画像の映写方法を提供する。
【００１７】
また、上記課題を解決するために、本発明の第５の態様は、映画用デジタル映写機にて映写用画像をスクリーンに上映した際の前記映写用画像の見えを上映前に確認するために前記映写用画像を試し表示するに際し、入力画像の画像データに対応する映写用画像を前記スクリーンに上映する前記映画用デジタル映写機のシェーディングパターンを測定し、前記入力画像の画像データに対応する映写用画像を前記スクリーンに上映した際の前記映写用画像の色に一致する、又は、近づく、若しくは、類似する試し表示用画像を得るための試し表示用ルックアップテーブルを用いて、前記入力画像の画像データから前記映写用画像を試し表示するための色補正試し表示用画像の画像データを生成すると共に、該色補正試し表示用画像の画像データに対し、前記映画用デジタル映写機のシェーディングパターンを付与してシェーディング付与試し表示用画像の画像データを生成し、前記映画用デジタル映写機を用いて前記スクリーン上に上映される前記映写用画像の見えを確認するために、前記シェーディング付与試し表示用画像の画像データに基づいて前記映写用画像を前記試し表示用画像として試し表示することを特徴とする映写用画像の試し表示方法を提供する。
ここで、前記シェーディングパターンの測定工程は、前記映画用デジタル映写機の映写光を前記スクリーンに照射し、該スクリーン上の中心部及び周辺部を含む複数の測定点における光量を測定して光量分布を取得する工程を含むことが好ましく、または、中心部及び周辺部を含む複数の測定点からなる測定位置パターン画像を持つ測定チャートを前記映画用デジタル映写機で前記スクリーンに映写し、該スクリーン上に映写された前記複数の測定点における輝度を望遠分光輝度計で測定する工程を含むことが好ましい。
【００１８】
また、上記課題を解決するために、本発明の第６の態様は、映画システムの上映用フィルムをスクリーンに上映した際の映写用画像の見えを上映前に確認するために前記映写用画像を試し表示する装置であって、
前記上映用フィルムの前記映写用画像を前記スクリーンに映写する映写機のシェーディングパターンを測定する測定手段と、
入力画像から画像編集を行って前記映写用画像の画像データを作成する作成手段と、
作成された前記映写用画像の画像データに基づいて作製された前記上映用フィルムを前記スクリーンに上映した際の前記映写用画像の色に一致する、又は、近づく、若しくは、類似する試し表示用画像を得るためのルックアップテーブルを用いて、前記映写用画像の画像データから前記映写用画像を試し表示するための色補正試し表示用画像の画像データを生成すると共に、該色補正試し表示用画像の画像データに対し、前記映写機のシェーディングパターンを付与してシェーディング付与試し表示用画像の画像データを生成する生成手段と、
前記映写機を用いて前記スクリーン上に上映される前記映写用画像の見えを確認するために、前記シェーディング付与試し表示用画像の画像データに基づいて前記映写用画像を前記試し表示用画像として試し表示する表示手段とを備えることを特徴とする映写用画像の試し表示装置を提供する。
【００１９】
また、上記課題を解決するために、本発明の第７の態様は、映画システムの上映用フィルムを映写機でスクリーン上に映写する前に試し表示された映写用画像の試し表示用画像で確認された前記映写用画像の見えと一致する、若しくは、類似する映写用画像を持つ前記上映用フィルムを作製する装置であって、
前記上映用フィルムの前記映写用画像を前記スクリーンに映写する前記映写機のシェーディングパターンを測定する測定手段と、
入力画像から画像編集を行って前記映写用画像の画像データを作成する作成手段と、
作成された前記映写用画像の画像データに基づいて作成された試し表示用画像の画像データを用いて試し表示された前記映写用画像の色に一致する、又は、近づく、若しくは、類似する色をもつ、前記上映用フィルムを前記スクリーンに上映した際の前記映写用画像を得るための色補正用ルックアップテーブルを用いて、前記映写用画像の画像データから前記上映用フィルムを作成するための映写用画像の露光データを生成すると共に、該映写用画像の露光データに対し、前記映写機のシェーディングパターンを付与してシェーディング付与映写用画像の露光データを生成する生成手段と、
前記シェーディング付与映写用画像の露光データを用いて前記映写用画像を光学的画像露光装置で映画用フィルムに露光・現像してインターミディエイトフィルムを作製する第１フィルム作製手段と、
前記インターミディエイトフィルムを前記映画用フィルムに露光・現像し、前記映写機で前記スクリーンに上映する際に、前記映写機のシェーディングが補正され、前記試し表示用画像と同じ見えである前記映写用画像が焼き付けられた上映用フィルムを作製する第２フィルム作製手段とを備えることを特徴とする上映用フィルムの作製装置を提供する。
【００２０】
また、上記課題を解決するために、本発明の第８の態様は、映画用デジタル映写機にて映写用画像をスクリーンに上映した際の前記映写用画像の見えを上映前に確認するために前記映写用画像を試し表示する装置であって、
入力画像の画像データに対応する映写用画像を前記スクリーンに上映する前記映画用デジタル映写機のシェーディングパターンを測定する測定手段と、
前記入力画像の画像データに対応する映写用画像を前記スクリーンに上映した際の前記映写用画像の色に一致する、又は、近づく、若しくは、類似する試し表示用画像を得るためのルックアップテーブルを用いて、前記入力画像の画像データから前記映写用画像を試し表示するための色補正試し表示用画像の画像データを生成すると共に、該色補正試し表示用画像の画像データに対し、前記映画用デジタル映写機のシェーディングパターンを付与してシェーディング付与試し表示用画像の画像データを生成する生成手段と、
前記映画用デジタル映写機を用いて前記スクリーン上に上映される前記映写用画像の見えを確認するために、前記シェーディング付与試し表示用画像の画像データに基づいて前記映写用画像を前記試し表示用画像として試し表示する表示手段とを備えることを特徴とする映写用画像の試し表示装置を提供する。
【００２１】
また、上記課題を解決するために、本発明の第９の態様は、映画システムの上映用フィルムをスクリーンに上映した際の映写用画像の見えを上映前に確認するために前記映写用画像を試し表示するための各ステップをコンピュータに実行させるためのプログラムであって、
測定手段により測定された、前記上映用フィルムの前記映写用画像を前記スクリーンに映写する映写機のシェーディングパターンを取得するステップと、
入力画像から画像編集を行って前記映写用画像の画像データを作成するステップと、
作成された前記映写用画像の画像データに基づいて作製された前記上映用フィルムを前記スクリーンに上映した際の前記映写用画像の色に一致する、又は、近づく、若しくは、類似する試し表示用画像を得るためのルックアップテーブルを用いて、前記映写用画像の画像データから前記映写用画像を試し表示するための色補正試し表示用画像の画像データを生成すると共に、該色補正試し表示用画像の画像データに対し、前記映写機のシェーディングパターンを付与してシェーディング付与試し表示用画像の画像データを生成するステップと、
前記映写機を用いて前記スクリーン上に上映される前記映写用画像の見えを確認するために、前記シェーディング付与試し表示用画像の画像データに基づいて前記映写用画像を前記試し表示用画像として表示手段に試し表示させるステップとを含むプログラムを提供する。
【００２２】
また、上記課題を解決するために、本発明の第１０の態様は、映画システムの上映用フィルムを映写機でスクリーン上に映写する前に試し表示された映写用画像の試し表示用画像で確認された前記映写用画像の見えと一致する、若しくは、類似する映写用画像を持つ前記上映用フィルムを作製するための各ステップをコンピュータに実行させるためのプログラムであって、
測定手段により測定された、前記上映用フィルムの前記映写用画像を前記スクリーンに映写する前記映写機のシェーディングパターンを取得するステップと、
入力画像から画像編集を行って前記映写用画像の画像データを作成するステップと、
作成された前記映写用画像の画像データに基づいて作成された試し表示用画像の画像データを用いて試し表示された前記映写用画像の色に一致する、又は、近づく、若しくは、類似する色をもつ、前記上映用フィルムを前記スクリーンに上映した際の前記映写用画像を得るための色補正用ルックアップテーブルを用いて、前記映写用画像の画像データから前記上映用フィルムを作成するための映写用画像の露光データを生成すると共に、該映写用画像の露光データに対し、前記映写機のシェーディングパターンを付与してシェーディング付与映写用画像の露光データを生成するステップと、
前記シェーディング付与映写用画像の露光データを用いて前記映写用画像を光学的画像露光装置で映画用フィルムに露光・現像してインターミディエイトフィルムを第１フィルム作製手段に作製させるステップと、
前記インターミディエイトフィルムを前記映画用フィルムに露光・現像し、前記映写機で前記スクリーンに上映する際に、前記映写機のシェーディングが補正され、前記試し表示用画像と同じ見えである前記映写用画像が焼き付けられた上映用フィルムを第２フィルム作製手段に作製させるステップとを含むプログラムを提供する。
【００２３】
また、上記課題を解決するために、本発明の第１１の態様は、映画用デジタル映写機にて映写用画像をスクリーンに上映した際の前記映写用画像の見えを上映前に確認するために前記映写用画像を試し表示するための各ステップをコンピュータに実行させるためのプログラムであって、
測定手段により測定された、入力画像の画像データに対応する映写用画像を前記スクリーンに上映する前記映画用デジタル映写機のシェーディングパターンを取得するステップと、
前記入力画像の画像データに対応する映写用画像を前記スクリーンに上映した際の前記映写用画像の色に一致する、又は、近づく、若しくは、類似する試し表示用画像を得るためのルックアップテーブルを用いて、前記入力画像の画像データから前記映写用画像を試し表示するための色補正試し表示用画像の画像データを生成すると共に、該色補正試し表示用画像の画像データに対し、前記映画用デジタル映写機のシェーディングパターンを付与してシェーディング付与試し表示用画像の画像データを生成するステップと、
前記映画用デジタル映写機を用いて前記スクリーン上に上映される前記映写用画像の見えを確認するために、前記シェーディング付与試し表示用画像の画像データに基づいて前記映写用画像を前記試し表示用画像として表示手段に試し表示させるステップとを含むプログラムを提供する。
【００２４】
また、上記課題を解決するために、本発明の第１２の態様は、スクリーンと、
上映用フィルムの映写用画像を前記スクリーンに映写する映写機と、
上記に記載の映写用画像の試し表示装置とを備える映画システムを提供する。
また、上記課題を解決するために、本発明の第１３の態様は、スクリーンと、
上映用フィルムの映写用画像を前記スクリーンに映写する映写機と、
上記に記載の上映用フィルムの作製装置とを備える映画システムを提供する。
また、上記課題を解決するために、本発明の第１４の態様は、スクリーンと、
上映用フィルムの映写用画像を前記スクリーンに映写する映画用デジタル映写機と、
上記に記載の映写用画像の試し表示装置とを備える映画システムを提供する。
【発明の効果】
【００２５】
本発明の各態様によれば、上記構成により、映画システムにおいて、映写機の装置構成を変えることなく、映写機で上映フィルムをスクリーン上に映写した際の映写用画像の見えと、映写用画像の試し表示（プレビュー）用画像の見えとを一致させる、又は略一致させる、若しくは類似したものとすることができる。
また、本発明の第１、第２、第６、第７、第９、第１０、第１２及び第１３の態様によれば、映写用画像のプレビュー用画像の見えを映写機で上映フィルムをスクリーン上に映写した際の映写機のシェーディングを含む映写用画像の見えに一致させる、若しくは近づけることができる。また、本発明の第５、第８、第１１及び第１４の態様によれば、実際に映画用デジタル映写機で映写する以前に、入力画像を、映画用デジタル映写機でスクリーンに映写した際の色及びシェーディングの状態で確認することができる。
また、本発明の第３の態様によれば、映写機で上映フィルムをスクリーン上に映写した際に、映写機のシェーディングが補正された映写用画像を映写することができ、その見えを、映写機のシェーディングのない映写用画像のプレビュー用画像の見えに一致させる、若しくは近づけることができる。
【図面の簡単な説明】
【００２６】
【図１】本発明の映写用画像の試し表示方法及び上映用フィルムの作製方法並びにその映写方法を実施する映画システムの装置構成の一例を示すブロック図である。
【図２】本発明の映写用画像の試し表示方法及び上映用フィルムの映写方法の処理の流れの一例を示す概念図である。
【図３】図１に示すフィルムレコーディング手段の一例を示す模式図である。
【図４】図１に示す光学プリント手段の一例を示す模式図である。
【図５】本発明の映写用画像の試し表示方法の一例を示すフロー図である。
【図６】本発明の試し表示用ルックアップテーブルの評価及び修正方法並びに使用方法の一例を示すフロー図である。
【図７】（ａ）及び（ｂ）は、それぞれスクリーン全面の測定位置パターン画像及びスクリーン上に平行同時映写された測定位置パターン画像の一例を示す概念図である。
【図８】本発明の映写用画像の試し表示方法を実施する映画システムの装置構成の一例を示すブロック図である。
【図９】色補正用ルックアップテーブルの作製方法を示すフロー図である。
【図１０】（ａ）、（ｂ）及び（ｃ）は、それぞれ映写用画像、映写機のシェーディングパターン画像、映写用画像にシェーディングを付与したシェーディングシミュレート画像を示す模式図である。
【図１１】画像データにシェーディングパターンを付与する処理装置の構成を表す一例の概念図である。
【発明を実施するための最良の形態】
【００２７】
本発明に係る映写用画像の試し表示方法並びに装置、上映用フィルム、その作製方法並びに装置、映写用画像の映写方法、プログラム、及び、映画システムを、添付の図面に示す好適実施形態に基づいて、以下に詳細に説明する。
図１は、本発明の映写用画像の試し表示方法及び上映用フィルムの作製方法並びにその映写方法を実施する映画システムの装置構成の一例を示すブロック図である。
図２は、図１に示す映画システムの映写用画像の試し表示方法及び上映用フィルムの作製方法及び映写方法の処理の流れの一例を示す概念図である。
【００２８】
図１に示すように、映画システム１０は、画像データ取得手段（以下、単に取得手段ともいう）１２、画像編集手段（以下、単に編集手段ともいう）１４、フィルムレコーディング手段（以下、フィルムレコーダともいう）１６、光学プリント手段（以下、光学プリンタともいう）１８、映写機（フィルムプロジェクタ）２０、プレビュー手段２２、色補正用ＬＵＴ作成手段（以下、第１作成手段ともいう）２４、シェーディング測定手段（以下、単に測定手段ともいう）２６、シェーディングパターン関数生成手段（以下、単に関数生成手段ともいう）２８、及びプレビューＬＵＴ作成手段（以下、第２作成手段ともいう）３０を有する。
【００２９】
画像データ取得手段１２は、撮影済みのネガフィルムからデジタル画像データを読み取るネガスキャンを行うスキャナや、撮影して撮影画像のデジタル画像データを取得するデジタルカメラや、ＣＧ（コンピュータグラフィックス）画像を生成してデジタル画像データを取得するコンピュータなどの画像データ取得手段である。
画像編集手段１４は、取得手段１２によって取得された画像データに対して、編集、加工、合成などの処理を施して、映写用画像の画像データを生成するものである。なお、編集手段１４で行う処理は、ポストプロダクト会社などが担当してもよい。
【００３０】
フィルムレコーダ１６は、編集手段１４において編集を施された画像データを、図３に示すレーザ光を用いた走査露光方式の光学的画像露光装置を用いて、デジタル記録フィルム、あるいはインターミディエイトフィルムに露光して、ネガフィルム（インターネガ）を作製するためのものである。また、必要に応じて、このネガフィルムから、さらに複製ネガフィルムを作製しても良い。
また、フィルムレコーダ１６は、光学的画像露光装置で露光されたネガフィルムを現像装置を用いて現像してインターネガを作製する。フィルムレコーダ１６に用いる現像装置には特に限定はないが、本実施例においては、一例として、（株）大友製作所製シネタイプ現像機FILM speed 100f t/minを用いることができる。
【００３１】
光学プリンタ１８は、インターネガ（ネガフィルムまたは複製ネガフィルム）から図４に示す面露光方式の光学的露光装置を用いて映写用ポジフィルムに露光することにより、映写機２０でスクリーンに映写するための上映用フィルム（ポジフィルム）を作製するためのものである。
また、光学プリンタ１８は、光学的露光装置において面露光された映写用ポジフィルムを現像して上映用フィルム作製する。光学プリンタ１８に用いる現像装置には特に限定はないが、本実施例においては、一例として、（株）大友製作所製シネタイプ現像機FILM speed 250f t/minを用いている。
【００３２】
映写機２０は、光学プリンタ１８で作製された上映用フィルムを映写スクリーン上に上映して上映用フィルムに記録された映写用画像を映写するものである。後述するが、映写機２０は、スクリーンを映写する映写光にシェーディングを有する。
プレビュー手段２２は、上映フィルムを映写機２０でスクリーン上に上映した際の映写用画像の見え（色及び明るさを含む画像の見え）を上映する前に確認するために、映写用画像をプレビュー（試し表示）用画像としてプレビュー（試し表示）するためのもので、画像編集手段１４で編集などの処理を施された画像データをプレビュー（試し表示）用画像の画像データに変換し、さらに、変換されたプレビュー用画像の画素の画像データを、シェーディングが付与された色補正済プレビュー画像データに変換する映像変換装置（ソフトウェアないしハードウェア装置）と、映像変換装置によって変換された色補正済プレビュー画像データを用いてプレビュー用画像を表示する映像表示装置とを備えている。映像表示装置としては、映写用画像のデジタル画像データを用いてプレビュー用画像を直接スクリーン上に映写するデジタル映写装置や、映写用画像のデジタル画像データを用いてプレビュー用画像を直接モニタ画面上に表示するモニタ等を挙げることができる。
【００３３】
第１作成手段（色補正用ＬＵＴ作成手段）２４は、編集手段１４によって生成された映写用画像の色が映写機２０によってスクリーンに上映された映写用画像において再現されるように、映写用画像の画像データから、フィルムレコーダ１６の光学的画像露光装置で映画用ネガフィルムに露光するための映写用画像の露光データを得るのに用いられる色補正用３次元ＬＵＴを作成するものである。
シェーディング測定手段２６は、スクリーンを映写する映写機２０の映写光のシェーディングパターンを測定するためのもので、映写機２０の映写光をスクリーンに照射し、スクリーン上の中心部及び周辺部を含む複数の測定点における光量（輝度）を輝度計や分光輝度計等で測定して光量（輝度）分布を取得してシェーディングパターンや光量分布関数を得るものであっても良いし、そのような複数の測定点からなる測定位置パターン画像を持つ測定チャートフィルムを映写機２０でスクリーンに映写し（図７参照）、スクリーン上に映写された複数の測定点における輝度を望遠分光輝度計で測定してシェーディングパターンを得るものであっても良い。
【００３４】
シェーディングパターン関数生成手段２８は、測定手段２６で測定されたシェーディングパターンを関数近似して、すなわち、複数の測定点の輝度の測定値を関数近似して、シェーディングパターン関数を生成するものである。
【００３５】
第２作成手段（プレビューＬＵＴ作成手段）３０は、プレビュー手段２２の光学特性等や第１作成手段で作成された色補正用ＬＵＴに基づいて、映写用画像の画像データから、色補正用ＬＵＴを用いて色補正された映写用画像の露光データを用いて得られる上映用フィルムをスクリーンに上映する際の、映写機２０のシェーディングが加味された映写用画像の見えと一致する、若しくは、類似する試し表示用画像の画像データを得るのに用いられる試し表示用（プレビュー）ＬＵＴを作成するものである。
【００３６】
ここで、映画撮影用ネガフィルムとは、例えば富士フイルム株式会社製ＥＴＥＲＮＡ５００Ｔのようなカメラ撮影で用いられるフィルムであり、デジタル記録フィルムとは、富士フイルム株式会社製ＥＴＥＲＮＡ−ＲＤＩのようなデジタル記録専用フィルムであり、インターミディエイトフィルムとは、富士フィルム株式会社製ＥＴＥＲＵＮＡ−ＣＩのような、面露光方式の露光装置で露光することに最適化したフィルムである。また、映写用ポジフィルムとは、例えば、富士フイルム株式会社製ＥＴＥＲＮＡ  ＰＯＳＩＴＩＶＥ  ＦＩＬＭ  ＴＹＰＥ３５１３ＤＩのような、ネガフィルムから面露光方式の露光装置で露光することに最適化したフィルムである。本実施例においては、映画フィルムとして、上述の種々のフィルムを用いるが、本発明においては、上記以外の種々のフィルムについても使用可能である。
【００３７】
次に、図１に示す映画システム１０で行われる映写用画像の試し表示方法及び上映用フィルムの作製方法及び映写方法の処理の流れについて図２に基づいて詳述する。
まず、上映用フィルムの作製方法及び映写方法の処理の流れについて説明する。
図２に示すように、まず、ステップＳ１０において、撮影済みのネガフィルムを取得手段１２でネガスキャンして読み取り、デジタル化して、撮影済みのネガフィルムの各コマごとのデジタル画像データ（信号値）を得る。なお、この時、得られた各画像データにおける濃度は、撮影済みのネガフィルムを読み取った取得手段１２の装置特性に依存している。
なお、ステップＳ１０では、取得手段１２でデジタルカメラで撮影された撮影画像のデジタル画像データを取得しても良いし、コンピュータで生成されたＣＧ画像からデジタル画像データを取得しても良い。
【００３８】
次に、ステップＳ１２においては、ステップＳ１０で取得した各コマの信号値を、各コマの画像の基準となる焼き付け濃度（Printing Density）に変換する。このステップＳ１２においては、このプリント濃度に基づいて作製した映写用ポジプリントを映写した時の色の見えに変換した後、編集手段１４によって画像の編集、加工、合成などが行われる。
ここで、この焼き付け濃度は、上述したように、取得手段１２に依存した濃度であり、また、撮影済みのネガフィルムのフィルム特性に依存したものである。このため、ステップＳ１２において画像の編集や加工、合成を行うためには、ステップＳ１０で得た各コマの信号値を、映写時の色の見えに対応した信号値に変換しておく必要がある。
【００３９】
なお、ステップＳ１２においては、取得手段１２やネガフィルムの特性に依存した焼き付け濃度を、編集などの処理に対応するデータに変換するため、変換ＬＵＴ等を用いて、画像データの変換処理を行うのが良い。つまり、変換ＬＵＴは、ステップＳ１０において得られた信号値を、取得手段１２やフィルムの特性に依存しない、映写時の色の見えに対応した標準的なデータに変換するためのものである。
ステップＳ１２において、変換ＬＵＴによって標準化された画像データは、上述のように、編集手段１４によって、編集、加工、合成などの必要な処理を施される。なお、上述のように、ステップＳ１２において編集される画像データは、ポジプリントの濃度に合うように補正されているのが良い。また、ポジプリントを映写した場合の濃度に合うように調整されている画像データを扱う場合には、色補正用ＬＵＴを用いても良い。
【００４０】
ステップＳ１４において、ステップＳ１２で編集などの処理を施された画像データは、色補正用ＬＵＴ２４ａを介して、フィルムレコーダ１６に送信され、ステップＳ１４ａでフィルムレコーダ１６の露光データ（制御値）に変換される。
ステップＳ１４では、ステップＳ１２において編集などの処理を行った画像データの濃度を、フィルムレコーダ１６に対応する出力値である露光データに変えるために、色補正用ＬＵＴ２４ａによる変換を行う。これにより、ステップＳ１４ａで、画像データはフィルムレコーダ１６の露光データに変換される。こうして得られた映写用画像の露光データは、上映された映写用画像の色が、画像データ取得手段１２で画像データが取得される入力画像の色に一致又は合致する、若しくは近づくように調整されている。
【００４１】
次に、ステップＳ１４ａにおいて、色補正用ＬＵＴ２４ａにより変換されて得られた露光データに基づき、フィルムレコーダ１６においてデジタル記録フィルムまたはインターミディエイトフィルムに露光を行い、ステップＳ１４ｂにおいて、ポジプリント作製に用いるためのネガフィルム（インターネガ）を作製する。また、本実施例では、ステップＳ１０においては撮影・現像済みのネガフィルムを用いているが、本発明はこれに限定されず、デジタル記録フィルムあるいはインターミディエイトフィルムに記録された画像を用いてもよい。
【００４２】
ここで、ステップＳ１４ａで行われる、図１に示すフィルムレコーダ１６における露光の手順について、図３を参照して以下に述べる。
ネガフィルム及び複製ネガフィルムは、図３に示すフィルムレコーダ１６の露光手段１６ａのような、面露光方式の光学的露光装置を用いて作製される。
図３において、露光手段１６ａは、回転ミラー３２、レーザ光源３４、制御部３６、及び制御用パソコン（制御ＰＣ）３８を備えている。制御用パソコン３８によって、制御部３６が、レーザ光源３４の駆動を制御する。レーザ光源３４から射出したレーザ光は、回転ミラー３２により反射して、フィルム４０上に走査方向（図３中、上方向）に照射される。一方、フィルム４０はその搬送方向（図３中、左方向）に搬送される。露光手段１６ａでは、このようにして、フィルム４０上をレーザ光線が２次元的に走査することにより、光学的に露光を行う。
【００４３】
ネガフィルムの露光処理が終了すると、ステップＳ１４ｂで、フィルムレコーダ１６においてネガフィルムの現像が完了し、インターネガが作製される。
また、映画システムにおいては、各地の映画館などに配給するため、大量のポジプリントフィルム（上映用フィルム）が必要となることも多い。このため、上映用フィルム作製に用いるインターネガについて、複製を作製しておくことが好ましい。
【００４４】
次に、ステップＳ１６で、ポジフィルム作製に用いるネガフィルム、またはその複製ネガフィルムを光学プリンタ１８を用いて面露光方式の光学的露光装置で映写用ポジプリントフィルムに露光し、光学プリンタ１８の現像機により現像することにより、上映用フィルムとなる映写用のポジプリントが完成する。
こうして、上映用フィルムは作製される。
次に、ステップＳ１８において、ステップＳ１６で作製された上映用フィルムは映写機２０によってスクリーンに上映され、上映用フィルムの映写用画像がスクリーン上に映写される。
【００４５】
なお、ステップＳ１６で行われる、光学プリンタ１８における露光の手順について、図４を参照して以下に述べる。
図４は、露光・現像したネガフィルムから映写用ポジプリントフィルムへの露光を行うための光学プリンタ１８の模式図である。図４に示すように、光学プリンタ１８は、熱線吸収フィルタ４２、ダイクロイックミラー４４ａ〜４４ｄ、ミラー４５ａ〜４５ｂ、ＮＤフィルタ４６ａ〜４６ｃ、スリット４８ａ〜４８ｃ、シャープカットフィルタ５０、及び拡散シート５２を有する。
【００４６】
白色光５４は、熱線吸収フィルタ４２を通過し、ダイクロイックミラー４４ａ及び４４ｂにおいて、ＲＧＢの３つの成分に分光され、ＮＤフィルタ４６ｂ及びスリット４８ｃ、ＮＤフィルタ４６ａ及びスリット４８ｂ、またはスリット４８ａを、それぞれ通過した後、ダイクロイックミラー４４ｄにおいて再び合波され、ＮＤフィルタ４６ｃ及びシャープカットフィルタ５０を通過する。その後、拡散シート５２において光を拡散させ、映画用フィルム５６の幅に均一に露光できるように光を当て、光源側に発色済みの映画用ネガフィルムになるように露光される映画用ポジフィルムと重ね合わせて、発色済み映画用フィルム側から露光を行う。
光学プリンタ１８は、このようにして、ＲＧＢの各光量を独立して調整する機構となっている。
上映用フィルムの作製方法及び映写用画像の映写方法は以上のように構成される。
【００４７】
次に、映写機の映写光のシェーディングの測定方法及び映写用画像の試し表示（プレビュー）方法について説明する。
上述したように、映写機２０からの映写光は、シェーディングを有し、映写されたスクリーン上において中央部に比べて周辺部の光量が低下している。
次のステップＳ２０では、映写機２０からの映写光のシェーディングを映写されたスクリーン上において測定手段２６によって測定する。具体的には、映写機２０から映写光が映写されたスクリーン上の中央部及び周辺部を含む複数の測定点における光量（輝度、好ましくは分光輝度、分光スペクトル）を輝度計、好ましくは分光輝度計、より好ましくは望遠分光輝度計を使って測定する。ここで、各測定点における光量（輝度等）を望遠分光輝度計を使って測定するには、望遠分光輝度計のファインダーを覗きながら測定位置を決める必要があるため、正確に測定点に位置合わせして測定するためには、１測定点につき、１〜２秒程度の時間がかかることになる。
【００４８】
なお、本発明においては、映写機２０の映写光のシェーディング測定は、測定値と測定点の位置を正確に対応付けておく必要があるため、例えば、図７（ａ）に示すように、スクリーン５８の全面に複数の測定点を配置させた測定位置パターン画像を焼き付けた上映用ポジフィルムからなる測定チャートフィルムを作成しておき、映写機２０によって測定チャートフィルムをスクリーン５８に上映し、スクリーン５８上に測定位置パターン画像を映写し、映写された測定位置パターン画像の複数の測定点において、映写光の光量（輝度等）を、輝度計等を使って測定するのが好ましい。
【００４９】
次に、ステップＳ２２において、関数生成手段２８によって、ステップＳ２０で測定された映写機２０の映写光のシェーディングパターンを関数近似して、すなわちスクリーン上の複数の測定点の光量（輝度等）の測定値を用いて関数近似してシェーディングパターン関数を生成する。
例えば、図１０（ｂ）に示すシェーディングパターンは、下記式（１）で示すシェーディングパターン関数Ｆ（PX，PY）に近似できる。
Ｆ（PX，PY）＝ａ×PX２＋ｂ×PY２＋ｃ×PX×PY＋ｄ×PX＋ｅ×PY＋ｆ
……（１）
ここで、係数ａ〜ｆは、例えば、表１に示すような値をとる。
なお、この時、図１０（ａ）及び（ｂ）に示す映写用画像及びシェーディングパターンの座標系は、映写用画像及びシェーディングパターンの中心を（０，０）、映写用画像の短辺の長さを２としている。
【００５０】
【表１】
0005877038.tif 000002
こうして、シェーディング測定は終了する。
【００５１】
次に、映写用画像の試し表示方法の処理の流れについて説明する。
図２に示すように、ステップＳ２４において、ステップＳ１２で編集などの処理を施された画像データは、プレビューＬＵＴ３０ａを介して、プレビュー手段２２に送信され、プレビュー手段２２のプレビュー（試し表示）用画像の画像データに変換される。
こうして得られたプレビュー用画像の画像データは、プレビュー（試し表示）された映写用画像の色が、スクリーンに上映された映写用画像の色に一致又は合致する、若しくは近づくように色補正されている。
【００５２】
次に、ステップＳ２６において、ステップＳ２４でプレビューＬＵＴ３０ａによって変換されたプレビュー用画像の画素の画像データに対して、ステップＳ２２で関数生成手段２８によって生成された映写機２０の映写光のシェーディングパターン関数から、その画素位置に応じて求まる係数値Ｆ（PX，PY）が掛けられ、シェーディングが付与された色補正済プレビュー画像データが求められる。
こうして得られたシェーディングが付与された色補正済プレビュー画像データは、プレビューされた映写用画像の見え（色や明度（明るさ）を含む見え）が、スクリーンに上映された映写用画像の見えに一致（合致）又は略一致する、若しくは近づくようにシェーディングが補正されている。
【００５３】
ステップＳ２８において、ステップＳ２６で得られたシェーディング付与及び色補正等の処理済プレビュー画像データを用いて、映写用画像がプレビュー画像として試し表示される。
ここで、プレビュー画像の試し表示は、このようなプレビュー画像データを用いてデジタル映写装置によってスクリーン上に直接プレビュー用画像を映写することによって行っても良いし、処理済プレビュー画像データを用いてモニタ上に直接プレビュー用画像を表示することによって行っても良い。
【００５４】
こうして、スクリーン上にデジタル映写されたプレビュー用画像や、モニタ上に表示されたプレビュー用画像は、その見えが、スクリーンに上映された映写用画像の見えに一致又は略一致する表示画像である。
なお、図示例では、映写用画像の画像データに対して、プレビューＬＵＴ３０ａによる変換を先に、シェーディング付与を後に行っているが、本発明はこれに限定されず、順序を逆にして行っても良い。
シェーディングの測定方法及び映写用画像の試し表示方法は基本的に以上のように構成される。
【００５５】
上記実施形態では、上映用フィルムの映写用画像をスクリーンに映写する映写機２０の映写光のシェーディングを考慮しているが、本発明は、これに限定されず、入力画像の画像データに対応する映写用画像をスクリーンに映写するデジタルプロジェクタ等の映画用デジタル映写機の映写光のシェーディングにも同様に適用可能である。デジタル映写機の映写光は、映写機２０の映写光と同じようにシェーディングを有し、映写されたスクリーン上において中央部に比べて周辺部の光量が低下している。
【００５６】
図８は、本発明の映写用画像の試し表示方法を実施する映画システムの装置構成の一例を示すブロック図である。
同図に示す映画システム１１は、画像データ取得手段１２、プレビュー手段２２、デジタル映写機２３、シェーディング測定手段２６、シェーディングパターン関数生成手段２８、及びプレビューＬＵＴ３０ａを有する。同図において、図１及び図２と同じ構成要素には同一の符号を付している。
【００５７】
以下、デジタル映写機２３の映写光のシェーディングを補正する場合について、映写用画像の試し表示方法の処理の流れを説明する。
【００５８】
例えば、図７（ａ）に示すような中央部及び周辺部を含む複数の測定点からなる測定位置パターン画像がデジタル映写機２３によってスクリーン５８の全面に映写される。
【００５９】
次に、デジタル映写機２３の映写光のシェーディングパターンが測定手段２６によって測定され、測定されたデジタル映写機２３の映写光のシェーディングパターンが関数生成手段２８によって関数近似されて、デジタル映写機２３の映写光のシェーディングパターン関数が生成される。
デジタル映写機２３の映写光の、測定手段２６によるシェーディングパターンの測定方法、および、関数生成手段２８によるシェーディングパターン関数の生成方法は、映写機２０の映写光の場合と同じ方法を利用することができる。
【００６０】
続いて、取得手段１２によって取得された入力画像の画像データが、プレビューＬＵＴ３０ａを介して、プレビュー手段２２に送信され、前述のように色補正されたプレビュー用画像の画像データに変換される。
【００６１】
プレビュー手段２２では、プレビュー用画像の各画素の画像データに対して、関数生成手段２８によって生成されたデジタル映写機２３の映写光のシェーディングパターン関数を用いて、その画素位置に応じて求まる係数値Ｆ（PX，PY）がそれぞれ掛けられ、デジタル映写機２３の映写光のシェーディングが付与された色補正済プレビュー画像データが求められる。
【００６２】
そして、得られたシェーディング付与及び色補正等の処理済プレビュー画像データを用いて、映写用画像がモニタやデジタル映写装置（映画用デジタル映写機２３とは異なるデジタル映写装置）によってスクリーン上に直接プレビュー画像として試し表示される。
【００６３】
これにより、実際に映画用デジタル映写機２３で映写する以前に、取得手段１２で取得された入力画像を、映画用デジタル映写機２３でスクリーンに映写した際の色及びシェーディングの状態で、モニタやデジタル映写装置上で確認することができる。
【００６４】
以下に、図５を参照して、本発明の映写用画像の試し表示方法を説明する。
まず、ステップＳ３０において、図７（ａ）に示すように、中央部及び周辺部を含む複数の測定点からなる測定位置パターン画像を持つ測定チャートフィルムを映写機２０でスクリーン５８の全面に映写する。
次に、ステップＳ３２において、映写機２０の映写光によって測定チャートフィルムが映写されたスクリーン上の中央部及び周辺部を含む複数の測定点における光量（輝度等）を望遠分光輝度計等の輝度計を使ってスペクトル測定して、映写機２０の映写光のシェーディングパターンを取得する。なお、シェーディングの測定及びシェーディングパターンの取得は、上述した図２のステップＳ２０と同様に行えば良い。
【００６５】
次に、ステップＳ３４において、ステップＳ３２で測定された映写機２０の映写光のシェーディングパターンを関数近似して、シェーディングパターン関数を生成する。なお、シェーディングパターン関数の生成も、上述した図２のステップＳ２２と同様に行えば良い。
続いて、ステップＳ３６において、画像編集などの処理を施された画像データから、プレビューＬＵＴ３０ａと、ステップＳ３４で生成されたシェーディングパターン関数とを用いて、シェーディング付与及び色補正等の処理済プレビュー画像データを生成する。なお、処理済プレビュー画像データの生成は、上述した図２のステップＳ２４およびステップＳ２６と同様に行えば良い。
【００６６】
最後に、ステップＳ３８において、ステップＳ３６で生成された処理済プレビュー画像データを用いて、直接プレビュー画像をスクリーンにデジタル映写して又はモニタに表示して、映写用画像を試し表示する。なお、プレビュー画像としての映写用画像の試し表示も、上述した図２のステップＳ２８と同様に行えば良い。
こうして、スクリーン上にデジタル映写されたプレビュー用画像や、モニタ上に表示されたプレビュー用画像は、その見えが、スクリーンに上映された映写用画像の見えに一致又は略一致する表示画像である。
本発明の映写用画像の試し表示方法は基本的に以上のように構成される。
【００６７】
次に、本発明の映写用画像の試し表示方法に用いられるプレビューＬＵＴの評価及び修正方法並びに使用方法について図６を参照して説明する。
まず、本発明の映写用画像の試し表示方法において、プレビューＬＵＴを評価するために、ステップＳ４０で、映写用画像として中心部及び周辺部を含む複数の測定点からなる測定位置パターン画像を生成しておく。例えば、プレビュー手段２２におけるデジタル映写のための測定位置パターン画像を作成しておくのが好ましい。
次に、ステップＳ４２において、デジタル映写の測定位置パターン画像の画像データを取得する。この時、測定位置パターン画像の画像データからプレビューＬＵＴを用いて測定位置パターン画像のプレビュー用画像の画像データを生成しておくのが好ましい。
【００６８】
続いて、ステップＳ４４において、測定位置パターン画像の画像データから色補正用ＬＵＴを用いて映画用ネガフィルムに露光するための映写用測定位置パターン画像の露光データを生成する。
次に、ステップＳ４６において、映写用測定位置パターン画像の露光データを用いて映写用測定位置パターン画像を光学的画像露光装置で映画用ネガフィルムに露光・現像してフィルムレコーディングを行い、インターネガフィルムを作製する。
ステップＳ４８において、インターネガフィルムを映画用ポジフィルムに露光・現像して、光学プリントを行い、測定位置パターン画像が映写用画像として焼き付けられた上映用測定チャートフィルムを作製する。
なお、映写用測定位置パターン画像の露光データの生成、露光及びインターネガフィルムを作製は、上述した図２に示すステップＳ１４と同様に行えば良く、上映用測定チャートフィルムの作製は、上述した図２のステップＳ１６と同様に行えば良い。
【００６９】
次に、ステップＳ５０において、プレビュー用画像の画像データを用いて測定位置パターン画像を試し表示すると共に、ステップＳ４８で作製された上映用測定チャートフィルムを映写機でスクリーンに上映する。好ましくは、プレビュー画像としてのデジタル映写による測定位置パターン画像と上映用測定チャートフィルムの測定位置パターン画像とを同時平行映写するのが良く、より好ましくは、図７（ｂ）に示すように、同一のスクリーン５８に丁度半面ずつ同時平行映写するのが良い。
この後、ステップＳ５２において、ステップＳ５０において映写、好ましくは、同時平行映写されて、試し表示された測定位置パターン画像のプレビュー用画像の複数の測定点の光量（輝度）と、測定チャートフィルムを映写機２０でスクリーンに上映して、スクリーン上の測定位置パターン画像の複数の測定点の光量（輝度）とを望遠分光輝度計等の輝度計で測定する。
【００７０】
ここで、測定点の光量（輝度）の測定は、デジタル映写の測定位置と上映用測定チャートフィルム映写の測定位置とを正確に対応させる必要があり、また、両者の測定位置の再現性を確保する必要があるが、図示例では、測定チャートとしてデジタル映写の測定位置パターン画像を求めておき、これをフィルムレコーディングして上映用フィルムを作成しているので好ましい。
ここで、フィルム映写に用いられる上映用測定チャートフィルムは、測定点を示す位置決めパターンと、無地（フィルムベース）が交互に繰り返すようなフィルムであるのが好ましい。
【００７１】
次に、ステップＳ５４において、ステップＳ５２において同時並行映写された両測定位置パターン画像の対応する複数の測定点の測定光量（輝度）一致度、即ち、プレビュー画像の各測定点の測定輝度と、測定チャートフィルムの測定位置パターン画像の、それぞれ対応する各測定点の測定輝度との一致度を評価する。
次に、ステップＳ５６において、ステップＳ５４における評価結果に基づいてプレビューＬＵＴを修正する。
最後に、ステップＳ５８において、ステップＳ５６で修正されたプレビューＬＵＴを用いて、映写用画像の画像データから、映写用画像を試し表示するためのプレビュー用画像の画像データを生成する。
こうして修正されたプレビューＬＵＴを用いることにより、プレビュー用画像とフィルム映写された映写用画像との見えの高い一致度を実現することができる。
【００７２】
次に、本発明に用いられる色補正用ＬＵＴ及びプレビューＬＵＴ等の３次元ＬＵＴの作成方法について図９に基づいて説明する。
まず、色補正用ＬＵＴの作成方法について説明する。
映画撮影用ネガフィルム、デジタル記録フィルムあるいはインターミディエイトフィルムに、フィルムレコーダ１６のレーザ光走査による光学的露光装置を用いて、露光データ（制御値）を変えて作製した３Ｄカラーパッチ（３色の露光データ）及び変動補正用中性グレイを配置した画像（ステップＳ６０）を露光し現像処理後（ステップＳ１４）、光学プリンタ１８でポジプリントを作製し（ステップＳ１６）測色する（ステップＳ６２）。
本実施例では、測色は、ＪＩＳＺ８７２２「物体色の測定方法」に記載される要件を満たした分光濃度計を用いて、３８０〜７８０ｎｍの間を５ｎｍ間隔の分光濃度を測定することにより行い、計算によりステータスＭ濃度を算出する。
【００７３】
また、作成されたポジプリントを映写機２０で映写して（ステップＳ１８）スクリーン上の色を算出する。即ち、ステップＳ６６で、予め人間の視覚の分光感度特性を取得しておき、ステップＳ６４において、ステップＳ６２で光学プリンタ１８によって作製された映写用ポジプリントを前述の分光濃度計を用いて測定して得られた分光濃度と、ステップＳ１８における上映時の映写機２０の光源の分光特性と、ステップＳ６６で取得された人間の視覚の分光感度特性から露光濃度を算出する。
次に、ステップＳ６８において、ステップＳ６４で算出した露光濃度と、ステップＳ６０におけるフィルムレコーダ１６の露光データとの間に色補正用ＬＵＴを作成する。
【００７４】
次に、プレビューＬＵＴの作成方法について説明する。
まず、ステップＳ７０において、ステップＳ６０におけるフィルムレコーダ１６の露光データからプレビュー手段２２で用いることができる表示用画像データに変換する。
次に、ステップＳ７２において、ステップＳ６４で算出した露光濃度と、ステップＳ７０において変換された表示用画像データとの間にプレビューＬＵＴを作成する。
なお、図９に示す例では、これらの色補正用ＬＵＴ及びプレビューＬＵＴの他にも、色補正等に用いられるＬＵＴを作成することができる。
例えば、ステップＳ６０における露光データと、上記ステータスＭ濃度（ステップＳ６２）の間にも、ＬＵＴを作成することができる。
【００７５】
本発明の映写用画像の試し表示方法を具体的な実施例を挙げて説明する。
図１０（ａ）、（ｂ）及び（ｃ）は、それぞれ映写用画像、映写機のシェーディングパターン画像、映写用画像にシェーディングを付与したシェーディングシミュレート画像を示す模式図である。
図１０（ａ）に示す映写用画像は、上映用フィルムをスクリーンに上映することにより映写されるが、プレビュー画像と色の一致が図られた映写画像であり、位置（PX，PY）における画素の画素値（画像データ）Ｉ（PX，PY）で表わされるものである。
これに対し、図１０（ｂ）に示すシェーディングパターン画像は、映写機の光源、即ち光源からの映写光のシェーディングパターン画像であり、上記式（１）の関数Ｆ（ＰX，PY）で表わされ、その係数ａ〜ｆは表１に記載されているものである。関数Ｆ（ＰX，PY）は０．０〜１．０の係数であり、位置（PX，PY）におけるシェーディングパターン輝度を示すものと言える。
【００７６】
続いて、図１１は、画像データにシェーディングパターンを付与する処理装置の構成を表す一例の概念図である。
同図に示す処理装置６０は、プレビュー手段２２等の内部に備えられているものであって、赤（Ｒ）、緑（Ｇ）、青（Ｂ）の３色に対応する３つの乗算器６２ａ、６２ｂ、６２ｃと、３つの関数演算器６４ａ、６４ｂ、６４ｃとを有する。
映写用画像の各画素の画像値Ｉ（PX，PY）は、赤、緑、青の３色に対応する画素値（画像データ）Ｒ、Ｇ、Ｂによって構成されている。また、式（１）で示す関数Ｆ（ＰX，PY）も同様に、赤、緑、青の３色に対応する関数ＦＲ（ＰX，PY）、ＦＧ（ＰX，PY）、ＦＢ（ＰX，PY）を含んでいる。
【００７７】
本発明においては、図１０（ａ）に示す映写用画像Ｉ（PX，PY）と、図１０（ｂ）に示すシェーディングパターン関数Ｆ（ＰX，PY）とをその画素位置に応じてかけ合わせることにより、図１０（ｃ）に示す、シェーディングが付与された映写用画像、即ちシェーディングシミュレート画像Ｉ（PX，PY）×Ｆ（ＰX，PY）を生成することができる。
【００７８】
つまり、図１１に示す処理装置１１の場合、関数演算器６４ａ、６４ｂ、６４ｃによって、座標ＰＸ、ＰＹを使用して、式（１）に基づき、それぞれ、関数ＦＲ（ＰX，PY）、ＦＧ（ＰX，PY）、ＦＢ（ＰX，PY）の値が計算される。そして、乗算器６２ａ、６２ｂ、６２ｃによって、画素値Ｒと関数ＦＲ（ＰX，PY）の値、画素値Ｇと関数ＦＧ（ＰX，PY）の値、画素値Ｂと関数ＦＢ（ＰX，PY）の値が、それぞれ乗算され、シェーディングが付与された画素値Ｒ、Ｇ、Ｂが算出される。
【００７９】
こうして、プレビュー画像として、図１０（ｃ）に示すシェーディングシミュレート画像Ｉ（PX，PY）×Ｆ（ＰX，PY）を試し表示することにより、映写機によってスクリーン上に上映された映写用画像と見えが一致する若しくは略一致するプレビュー画像を表示することができる。
【００８０】
上述した例では、プレビュー画像にシェーディングを付与して、スクリーン上に上映された映写用画像との見えの一致を図るものであったが、本発明は、これに限定されず、スクリーン上に上映される上映用フィルムの映写用画像からシェーディングを除去するものであっても良いし、予めシェーディングが除去された上映用フィルムを作成するものであっても、こうして作成された予めシェーディングが除去された上映用フィルムであっても良いし、このように、予めシェーディングが除去された上映用フィルムを用いて、スクリーンに映写するものであっても良い。
【００８１】
例えば、本発明は、映画システムの上映用フィルムを映写機でスクリーン上に映写する前に試し表示された映写用画像のプレビュー用画像で確認された映写用画像の見えと一致する、略一致する、若しくは、類似する映写用画像を持つ上映用フィルムを作製するものであって良い。
この上映用フィルムの作製方法では、予め、上映フィルムの映写用画像をスクリーンに映写する映写機のシェーディングパターンを測定しておく。
次に、入力画像から画像編集を行って映写用画像の画像データを作成する。
続いて、映写用画像の色が、試し表示された映写用画像で再現されるように、映写用画像の画像データから、プレビュー用画像の画像データを得るのに用いられる色補正用ＬＵＴを作成する。
【００８２】
次に、作成された映写用画像の画像データに基づいて作成されたプレビュー用画像の画像データを用いてプレビューされた映写用画像の色に一致する、又は、近づく、若しくは類似する色をもつ、上映用フィルムをスクリーンに上映した際の映写用画像を得るための色補正用ＬＵＴを用いて、映写用画像の画像データから上映用フィルムを作成するための映写用画像の露光データを生成すると共に、この映写用画像の露光データに対し、映写機のシェーディングパターンを付与してシェーディング付与映写用画像の露光データを生成する。
この後、シェーディング付与映写用画像の露光データを用いて映写用画像を光学的画像露光装置で映画用ネガフィルムに露光・現像してインターミディエイトフィルムを作製する。
最後に、インターミディエイトフィルムを映画用ポジフィルムに露光・現像し、映写機でスクリーンに上映する際に、映写機のシェーディングが補正され、プレビュー用画像と同じ見えである映写用画像が焼き付けられた上映用フィルムを作製する。
こうして、予めシェーディングが除去され、スクリーン上に上映された際にも、映写用画像とプレビュー画像との見えの一致を図ることができる上映用フィルムを作製することができる。
【００８３】
こうして作製された上映用フィルムを映写機でスクリーンに上映することにより、プレビュー用画像と同じ若しくは略同じ見えとなる映写用画像をスクリーン上に映写することができる。
また、こうして作製された上映用フィルムは、映写機シェーディングが除去、若しくは補正され、スクリーン上に映写した際にプレビュー用画像と同じ若しくは略同じ見えとなる映写用画像を持つ上映用フィルムである。
【００８４】
なお、本発明は、本発明の映写用画像の試し表示方法、および、上映用フィルムの作成方法の各ステップをコンピュータに実行させるためのプログラム、および、このプログラムを記録したコンピュータ読み取り可能な記録媒体等によって構成することもできる。
【００８５】
以上、本発明に係る映写用画像の試し表示方法並びに装置、上映用フィルム、その作製方法並びに装置、映写用画像の映写方法、プログラム、及び、映画システムについて詳細に説明したが、本発明は、以上の実施形態に限定されるものではなく、本発明の要旨を逸脱しない範囲において、各種の改良や変更を行ってもよい。
【符号の説明】
【００８６】
１０、１１  映画システム
１２  画像データ取得手段
１４  画像編集手段
１６  フィルムレコーディング手段（フィルムレコーダ）
１６ａ  露光手段
１８  光学プリント手段（光学プリンタ）
２０  映写機（フィルムプロジェクタ）
２２  プレビュー手段
２３  映画用デジタル映写機
２４  色補正用ＬＵＴ作成手段（第１作成手段）
２６  シェーディング測定手段
２８  シェーディングパターン関数生成手段
３０  プレビューＬＵＴ作成手段（第２作成手段）
３２  回転ミラー
３４  レーザ光源
３６  制御部
３８  制御用パソコン
４２  熱線吸収フィルタ
４４ａ、４４ｂ、４４ｃ、４４ｄ、４５ａ、４５ｂ  ミラー
４６ａ、４６ｂ、４６ｃ  ＮＤフィルタ
４８ａ、４８ｂ、４８ｃ  スリット
５０  シャープカットフィルタ
５２  拡散シート
４４  白色光
５６  映画用フィルム
５８  スクリーン
６０  処理装置
６２ａ、６２ｂ、６２ｃ  乗算器
６４ａ、６４ｂ、６４ｃ  関数演算器
【図１】
0005877038.tif 000003
【図２】
0005877038.tif 000004
【図３】
0005877038.tif 000005
【図４】
0005877038.tif 000006
【図５】
0005877038.tif 000007
【図６】
0005877038.tif 000008
【図７】
0005877038.tif 000009
【図８】
0005877038.tif 000010
【図９】
0005877038.tif 000011
【図１１】
0005877038.tif 000012
【図１０】
0005877038.tif 000013